(57)【要約】【課題】枠体内に収納した無電極ランプの最冷点用突起部の温度が上昇し難く、光出力の特性を損なうおそれの少ない無電極ランプ用保持具および照明器具を提供する。【解決手段】本発明の照明器具１は、先端頂部に最冷点用突起部２７を有し放電ガスが封入された電球状のバルブを備えた無電極ランプ２と、反射笠３２と第１パネル３３を有する無電極ランプ用保持具３と、点灯回路４とを備えている。第１パネル３３は、外気導入孔３４を備えている。又、反射笠３２は、排気孔３５を備えている。【選択図】図１
2009205831.tif 000002
【特許請求の範囲】
【請求項１】
外周側に突設された最冷点用突起部を有し放電ガスが封入された電球状のバルブを備えた無電極ランプを、枠体内に収納して保持する無電極ランプ用保持具であって、
前記枠体には、外部と枠体内とを連通するように開けられた外気導入孔及び排気孔が設けられていることを特徴とする無電極ランプ用保持具。
【請求項２】
前記無電極ランプは、最冷点用突起部が下方側になるように、前記枠体内に収納され、
前記枠体は、前記最冷点用突起部と対向するように配設された透光性を有する第１パネルと、その第１パネルを保持した筐体とを備え、
前記外気導入孔は、前記第１パネルにおける最冷点用突起部の下方近傍に形成され、
前記排気孔は、前記筐体の一部に形成されていることを特徴とする請求項１に記載の無電極ランプ用保持具。
【請求項３】
前記筐体は、前記無電極ランプに高周波電源を供給し点灯させる点灯回路を収納したケーシングに支持されるとともに、そのケーシング内と枠体内とを仕切る仕切壁を備え、
前記排気孔は、前記ケーシングと枠体内とを連通するように、前記仕切壁に形成されていることを特徴とする請求項２に記載の無電極ランプ用保持具。
【請求項４】
前記第１パネルの下方側に、その第１パネルと距離を隔てて第２パネルが設けられ、
前記筐体は、その下端に、第２パネルを保持することにより、第２パネルと第１パネルと筐体とによって空隙部が区画形成され、
前記第２パネル又は筐体には、外部と空隙部とを連通するようにあけられた空隙部用外気導入孔が設けられていることを特徴とする請求項２又は３に記載の無電極ランプ用保持具。
【請求項５】
請求項１〜４のいずれか一項に記載の無電極ランプ用保持具と、その無電極ランプ用保持具に保持された前記無電極ランプとを備えていることを特徴とする照明器具。
【発明の詳細な説明】
【技術分野】
【０００１】
本発明は、最冷点用突起部を有し放電ガスが封入されたバルブを備えた無電極ランプを保持する無電極ランプ用保持具および照明器具に関する。
【背景技術】
【０００２】
従来から、放電ガスが封入されたバルブを備えた無電極ランプは広く知られている。この無電極ランプとして、例えば水銀滴を使用するとともに、バルブの一部に最冷点用突起部を設け、水銀蒸気圧を制御して光出力の特性を損なわないようにしている（特許文献１参照）。
【特許文献１】特開２００１−３２５９２０号公報
【発明の開示】
【発明が解決しようとする課題】
【０００３】
しかしながら、このような最冷点用突起部を有するバルブを備えた無電極ランプを枠体内に収納すると、以下のような問題点がある。即ち、無電極ランプの発光に伴う発熱によって、枠体内が温度上昇し、その枠体内に収納された無電極ランプの最冷点用突起部の温度が上昇してしまう。その結果、良好な無電極ランプの光量が得られないおそれがある。
【０００４】
本発明は、枠体内に収納した無電極ランプの最冷点用突起部の温度が上昇し難く、光出力の特性を損なうおそれの少ない無電極ランプ用保持具および照明器具を提供することを目的とするものである。
【課題を解決するための手段】
【０００５】
前記課題を解決するために、本発明の請求項１は、外周側に突設された最冷点用突起部を有し放電ガスが封入された電球状のバルブを備えた無電極ランプを、枠体内に収納して保持する無電極ランプ用保持具であって、前記枠体には、外部と枠体内とを連通するように開けられた外気導入孔及び排気孔が設けられていることを特徴とする無電極ランプ用保持具を提供する。
【０００６】
請求項２のように、前記無電極ランプは、最冷点用突起部が下方側になるように、前記枠体内に収納され、前記枠体は、前記最冷点用突起部と対向するように配設された透光性を有する第１パネルと、その第１パネルを保持した筐体とを備え、前記外気導入孔は、前記第１パネルにおける最冷点用突起部の下方近傍に形成され、前記排気孔は、前記筐体の一部に形成されていることが好ましい。
【０００７】
請求項３のように、前記筐体は、前記無電極ランプに高周波電源を供給し点灯させる点灯回路を収納したケーシングに支持されるとともに、そのケーシング内と枠体内とを仕切る仕切壁を備え、前記排気孔は、前記ケーシングと枠体内とを連通するように、前記仕切壁に形成されていることが好ましい。
【０００８】
請求項４のように、前記第１パネルの下方側に、その第１パネルと距離を隔てて第２パネルが設けられ、前記筐体は、その下端に、第２パネルを保持することにより、第２パネルと第１パネルと筐体とによって空隙部が区画形成され、前記第２パネル又は筐体には、外部と空隙部とを連通するようにあけられた空隙部用外気導入孔が設けられていることが好ましい。
【０００９】
又、本発明の請求項５は、前記課題を解決するために、前記請求項１〜４のいずれか一項に記載の無電極ランプ用保持具と、その無電極ランプ用保持具に保持された前記無電極ランプとを備えていることを特徴とする照明器具を提供する。
【発明の効果】
【００１０】
請求項１によれば、枠体には、外部と枠体内とを連通するように開けられた外気導入孔及び排気孔が設けられている。これにより、無電極ランプの発光に伴う発熱によって枠体内の温度が上昇し始めると、温度上昇した枠体内の空気を排気孔から外部に出すことができるとともに、外気導入孔から枠体内に外気を導入できる。従って、枠体内の温度を上昇し難くでき、バルブの最冷点用突起部の温度上昇を抑えることができる。よって、放電ガスに含まれる水銀蒸気の圧が変化して光出力が低下するようなことを抑えることができる。
【００１１】
請求項２によれば、外気導入孔は、第１パネルにおける最冷点用突起部の下方近傍に形成されているため、外気が外気導入孔から排気孔に流れる際、その外気を最冷点用突起部に当て易くできる。これにより、より確実に、バルブの最冷点用突起部の温度上昇を抑えることができる。
【００１２】
請求項３によれば、排気孔は、ケーシング内と枠体内とを仕切った仕切壁に、それらを連通するように形成されているため、外気導入孔から導入された外気を、排気孔からケーシング内に流すことができる。これにより、点灯回路を冷却することもでき、点灯回路の温度上昇を抑えることができる。従って、温度上昇のおそれが高いために使用し難くかった種々の回路素子を使用できる可能性の高いものにできる。
【００１３】
請求項４によれば、第１パネルの下方側に、その第１パネルと距離を隔てて第２パネルが設けられているため、例えばバルブが破損した場合でも、その破損片が外部に飛び散る恐れの少ないものにできる。
【００１４】
請求項５によれば、無電極ランプの発光に伴う発熱によっても枠体内温度が上昇し難く、最冷点用突起部の温度の上昇を抑え光出力の特性を損なうおそれが少ない照明器具を提供できる。
【発明を実施するための最良の形態】
【００１５】
以下、本発明を実施するための最良の形態について、図面を参照しながら詳細に説明する。図１は、第１実施形態の無電極ランプ用保持具を有する照明器具の斜視図、図２は、その照明器具に用いる無電極ランプの拡大断面図である。
【００１６】
第１実施形態の無電極ランプ用保持具を有する照明器具１は、図１に示すように無電極ランプ２と、無電極ランプ用保持具３と、点灯回路４とを備えている。
【００１７】
無電極ランプ２は、図２に示すように、ガラス製の電球状のバルブ２１を備えている。このバルブ２１の軸方向の基端部２１ａは、口金２３に連結されている。バルブ２１の中心軸部には、基端側から軸方向の先端側に凹まれるようにして形成されたキャビティ２４と、このキャビティ２４の底部分２４ａから開口部分２４ｂに向かって延在する排気細管２５とが一体的に形成されている。
【００１８】
キャビティ２４内には、排気細管２５に挿入された状態の円筒状のシリンダ２６が設けられている。このシリンダ２６は、点灯回路４と電気的に接続されるカプラ２８の一部を構成し、キャビティ２４の開口部分２４ｂから外部に突出して、口金２３に形成された穴に嵌め合わされている。
【００１９】
又、カプラ２８は、口金２３に嵌合されているとともに、無電極ランプ２の基端側に設けられた板状の放熱板３０に接続されている。
【００２０】
バルブ２１の内面には、図示しないが保護膜と蛍光体膜との２層が形成されている。また、キャビティ２４のバルブ２１内の周面にも、保護膜と蛍光体膜との２層が形成されている。
【００２１】
又、キャビティ２４内の上部には、上記シリンダ２６の外周に嵌め込まれた状態でフェライトコア２９と誘導コイル２０とが設けられている。フェライトコア２９は、誘導コイル２０に通電する高周波電流が数百ＫＨｚという低い周波数であるために必要とするものである。
【００２２】
バルブ２１内には、不活性ガスや水銀等の放電ガスが封入されている。なお、不活性ガスとしては、例えばネオン、アルゴン、クリプトン、キセノンが挙げられる。また、この実施形態の排気細管２５内には、総量が略２０ｍｇ、重量比で５０：５０の亜鉛・水銀化合物が収納され、バルブ２１内に水銀を放出させることができるようになっている。
【００２３】
バルブ２１の軸方向の先端頂部２１ｂには、最冷点用突起部２７が備えられている。最冷点用突起部２７は、ランプ２の周囲温度が一定の状態でこのランプ２を点灯させた場合にバルブ２１の内部で温度が最も低い最冷点を構成する部分として形成されたもので、バルブ２１の先端頂部から軸方向の外周側に突設されている。又、この実施形態の最冷点用突起部２７は、先端に行くに従って、漸次径が小さくなる円錐状に形成されている。
【００２４】
無電極ランプ用保持具３は、図１、図３に示すように、枠体を備えている。又、枠体は、筐体としての反射笠３２と、反射笠３２の下面側に配設された透光性を有する第１パネル３３とを備えている。
【００２５】
反射笠３２は、下面側が開口されている。又、この第１実施形態の反射笠３２は、下方側に行くに従ってその開口径が漸次大きくなるように形成されている。
【００２６】
反射笠３２の上部側には、排気孔３５が設けられている。この排気孔３５は、反射笠３２の内側に形成される後述のランプ収納部３１の空気をランプ収納部３１から外部に出すためのもので、反射笠３２の内面から外面に貫通するようにあけられている。これにより、排気孔３５は、そのランプ収納部３１から外部に連通している。
【００２７】
この実施形態では、排気孔３５は、周方向に４つ、設けられており、夫々は、径が３０ｍｍ程度の円形状のものから構成されている。
【００２８】
このように形成された反射笠３２は、この実施形態では、その上端が、上記無電極ランプ２の放熱板３０に保持されており、内側に収納される無電極ランプ２の光を開口側に反射して下方に導くことができるようになっている。
【００２９】
第１パネル３３は、上記バルブ２１の最冷点用突起部２７と対向する対向壁を構成するもので、その中心部には、外気導入孔３４が設けられている。この外気導入孔３４は、この実施形態では、径が３０ｍｍ程度の大きさで、第１パネル３３の上面から下面に貫通するようにあけられている。これにより、外気導入孔３４は、最冷点用突起部２７のほぼ真下に配置され、最冷点用突起部２７と対向している。
【００３０】
そして、この第１パネル３３は、反射笠３２の開口を塞ぐようにして反射笠３２の下端に取り付けられている。又、この第１パネル３３の取り付けにより、第１パネル３３と反射笠３２とで、無電極ランプ２を収納するほぼ密閉したランプ収納部３１が区画形成されている。また、外気導入孔３４は、そのランプ収納部３１と外部とを連通する。
【００３１】
点灯回路４は、高周波電流を発生させその発生させた高周波電流を無電極ランプ２に供給するためのもので、内部に点灯回路収納部４２を有するケーシング４１におけるその点灯回路収納部４２に配設されている。
【００３２】
このケーシング４１は、周壁に、周方向に複数の長細状の窓孔（図1に図示）を備えている。そして、ケーシング４１は、その下端に、上記無電極ランプ２を保持している。この実施形態では、ケーシング４１の下端に、無電極ランプ２の放熱板３０が取付けられることにより、無電極ランプ２が保持されている。
【００３３】
これにより、ケーシング４１内の点灯回路収納部４２と枠体内のランプ収納部３１とは、放熱板３０によって仕切られている。従って、この実施形態の放熱板３０は、点灯回路収納部４２とランプ収納部３１とを仕切る仕切壁を構成している。
【００３４】
そして、ケーシング４１内に配設された点灯回路４は、無電極ランプ２と電気的に接続されており、無電極ランプ２に高周波電流を供給できるようになっている。
【００３５】
このように構成されたこの実施形態の照明器具１は、例えば天井から吊り下げられるようにして装着され、バルブ２１の軸方向がほぼ上下方向に一致した状態で使用される。なお、照明器具１は、天井から吊り下げられる形態のものに限らず、例えば天井に設けた取付孔に照明器具１を下方側から入れ、反射笠３２の下端側を天井に固定するようにして使用することもでき、適宜変更し得る。
【００３６】
そして、この状態で、点灯回路４から高周波電流を無電極ランプ２の誘導コイル２０（図２参照）に通電すると、誘導コイル２０の周囲に誘導電界（高周波電磁界）が発生する。この誘導電界をバルブ２１に作用させることでプラズマを発生させ、水銀原子から発生する紫外線がバルブ２１の蛍光体膜で可視光に変換され、バルブ２１を透過する。又、その光は、第１パネル３３を直接透光し又は反射笠３２を介して透光して下方に放射される。
【００３７】
又、その際、ランプ収納部３１内は、無電極ランプ２の発光に伴う発熱によって温度上昇すると、ランプ収納部３１内の空気が排気孔３５から外部に出るとともに、外気が外気導入孔３４からランプ収納部３１内に導入される。これにより、ランプ収納部３１内の温度上昇が抑えられ、バルブ２１の最冷点用突起部２７の温度上昇を抑えることができる。
【００３８】
又、外気が外気導入孔３４から排気孔３５に流れる際、外気導入孔３４が最冷点用突起部２７の下方位置に配置しているため、外気を最冷点用突起部２７に当てることができる。これにより、より確実に、最冷点用突起部２７の温度上昇を抑えることができる。
【００３９】
従って、バルブ２１内に封入された水銀蒸気の圧が変化して光出力が低下するのを抑えることができる。
【００４０】
又、上記実施形態のものでは、最冷点用突起部２７の温度は、４０°Ｃとなり、外気導入孔３４及び排気孔３５を有しないものに比べてほぼ３０°Ｃだけ低下した。
【００４１】
次に、第２実施形態の無電極ランプ用保持具を有する照明器具１００について、説明する。第２実施形態の照明器具１００における無電極ランプ用保持具３の排気孔３５は、点灯回路収納部４２とランプ収納部３１とを仕切る仕切壁としての放熱板３０に形成されている。その他は、先の第１実施形態のものと同構成を採っている。
【００４２】
このように構成された第２実施形態においては、上記第１実施形態の効果に加え、外気導入孔３４から導入された外気を、更に排気孔３５から点灯回路収納部４２に流すことができる。これにより、点灯回路４を冷却することができ、点灯回路４の温度上昇を抑えることができる。従って、温度上昇のために使用し難くかった種々の回路素子を使用できる可能性の高いものにできる。
【００４３】
次に、第３実施形態の無電極ランプ用保持具を有する照明器具２００について、説明する。第２実施形態の照明器具２００における無電極ランプ用保持具３は、第１パネル３３の下方側に、光を透す第２パネル３６が設けられている。
【００４４】
詳しくは、第２パネル３６は、この実施形態では、第１パネル３３とほぼ同構成のものから構成されている。ただし、第２パネル３６は、第１パネル３３のような外気導入孔３４を有していない。
【００４５】
この第２パネル３６は、第１パネル３３と所定の距離を隔てるようにして、反射笠３２の下端に保持されている。これにより、第１パネル３３の下方側に、第１パネル３３と第２パネル３６と反射笠３２とにより空隙部３７が区画形成されている。
【００４６】
又、反射笠３２における第２パネル３６と第１パネル３３との間の部分に、空隙部用外気導入孔３８が設けられている。この空隙部用外気導入孔３８は、外気を空隙部３７に入れるためのもので、反射笠３２の内面から外面に貫通し空隙部３７と外部とを連通するようにあけられている。
【００４７】
また、この第３実施形態では、無電極ランプ２の最冷点用突起部２７が、第１パネル３３の外気導入孔３４に入った状態で配置されている。その他は、第１実施形態のものと同構成を採っている。
【００４８】
このように構成された第３実施形態においては、無電極ランプ２の発光に伴う発熱によって温度上昇すると、外気が空隙部用外気導入孔３８から空隙部３７に入る。そして、空隙部３７に入った外気は、外気導入孔３４からランプ収納部３１内に導入されるとともに、ランプ収納部３１内の空気が排気孔３５から外部に出る。これにより、ランプ収納部３１内の温度上昇が抑えられ、バルブ２１の最冷点用突起部２７の温度上昇を抑えることができる。
【００４９】
又、その際、最冷点用突起部２７が外気導入孔３４に入っているため、外気を素早く且つ確実に最冷点用突起部２７に当てることができ、より確実に、最冷点用突起部２７の温度上昇を抑えることができる。
【００５０】
また、例えばバルブ２１が何らかの要因で破損しその破損片が第１パネル３３の外気導入孔３４から出た場合でも、第２パネル３６で受けることができ、外部に飛び散る恐れの少ないものにできる。
【００５１】
尚、この第３実施形態では、排気孔３５を、反射笠３２に設けているが、この形態のものに限らず、適宜変更できる。例えば図６に示すように、排気孔３５を、放熱板３０に形成するようにしても良い。
【００５２】
又、この第３実施形態では、空隙部用外気導入孔３８を、反射笠３２に設けているが、例えば第２パネル３６に設けるようにしても良く、適宜変更できる。また、空隙部用外気導入孔３８を第２パネル３６に設ける場合において、第２パネル３６における空隙部用外気導入孔３８の位置は特に限定されない。
【００５３】
ただし、空隙部用外気導入孔３８を、第２パネル３６における外気導入孔３４の下方位置（真下）に設けておくと、第１パネル３３の外気導入孔３４から出てきたバルブ２１の破損片が、空隙部用外気導入孔３８から抜け出る可能性が高くなるので、外気導入孔３４の側方側に配置するのが好ましい。以上が、第３実施形態の説明である。
【００５４】
尚、外気導入孔３４、排気孔３５、及び空隙部用外気導入孔３８は、夫々、１つ又は複数でも良く、適宜変更できる。又、これらの外気導入孔３４、排気孔３５、及び空隙部用外気導入孔３８をメッシュ構造としても良い。こうすることにより、埃や虫の入り難いものにできる点で好ましい。
【００５５】
又、上記実施形態では、照明器具１は、無電極ランプ２と、無電極ランプ用保持具３と、点灯回路４とを備えたものから構成しているが、この形態のものに限らず、適宜変更できる。例えば照明器具１を、無電極ランプ２と、無電極ランプ用保持具３とから構成し、照明器具１とは別途に設けた点灯回路４に接続するようにしても良い。
【図面の簡単な説明】
【００５６】
【図１】本発明の第１実施形態に係る照明器具の斜視図である。
【図２】本発明の照明器具に用いる無電極ランプの拡大断面図である。
【図３】第１実施形態の照明器具の断面説明図である。
【図４】本発明の第２実施形態に係る照明器具の断面説明図である。
【図５】本発明の第３実施形態に係る照明器具の断面説明図である。
【図６】第３実施形態における他の実施形態の断面説明図である。
【符号の説明】
【００５７】
１、１００、３００    照明器具
２    無電極ランプ
３    無電極ランプ用保持具
２１    バルブ
２７    最冷点用突起部
３２    反射笠（筐体）
３３    第１パネル
３４    外気導入孔
３５    排気孔
【図１】
2009205831.tif 000003
【図２】
2009205831.tif 000004
【図３】
2009205831.tif 000005
【図４】
2009205831.tif 000006
【図５】
2009205831.tif 000007
【図６】
2009205831.tif 000008